(57)【要約】      （修正有）【課題】強固な固定が可能で、簡単に設置でき、視認を容易にすることができるテント用看板・掲示板・公報板等固定具。【解決手段】突出板１５を端部にそれぞれ設けた円筒状パイプ把持部２とワッシャー８とナット７付きの螺着用蝶螺子６などの固着部材と、円筒状パイプ把持部２の正面下半部または下端から垂下させるＵ字形固定板１６とで構成されている。円筒状パイプ把持部２の正面下半部または下端からテントのたれ幕の長さを考慮して、Ｕ字形に看板・掲示板・公報板等を挟持、または固定するＵ字形固定板１６を垂下させて配設している。【選択図】図３
0003104711.tif 000002
【実用新案登録請求の範囲】
【請求項１】
突出板１５，３６，３７，３８を円筒状パイプ把持部２，５６，５７，５８の端部にそれぞれ設け，突出板１５，３６，３７，３８には突出板相互を締着させるワッシャー８，４９，５０，５１と，ナット７，４６，４７，４８付きの螺着用蝶螺子６，４３，４４，４５などを配設し、円筒状パイプ把持部２，５６，５７，５８の正面下半部，または下端から，テント１４，１７のたれ幕６４，６５，６６，６７，６８の長さを考慮して，たれ幕６４，６５，６６，６７，６８の範囲内で，Ｕ字形に看板２８，５３，５４，６２・掲示板・公報板等を挟持，または固定するＵ字形固定板３１，３２，３３，７０を垂下させて配設し，円筒状パイプ把持部２，５６，５７，５８の突出板を端部にそれぞれ設けた円筒状パイプ把持部の正面下半部または下端からテントのたれ幕の長さを考慮してＵ字形に看板・掲示板・公報板等を挟持または固定するＵ字形固定板を垂下させて配設し，突出板には突出板相互に締着させるワッシャー・ナット付きの蝶螺子などの固着具を配設し，円筒状パイプ把持部をフレキシブルに固定させるようにし，Ｕ字形固定板前面にマジックテープなどを固着するか、螺着用螺子穴をＵ字形固定板に穿孔して螺着用螺子で固着し，円筒状パイプ把持部をテントの横パイプ１９，２２，２４，５２，５９に固定具の円筒状パイプ把持部をフレキシブルに固定させるようにしたことを特徴とするテント用看板・掲示板・公報板等固定具。
【考案の詳細な説明】
【技術分野】
【０００１】  本考案は、テントに看板・掲示板・公報板などを掲示するにあたって、従来のパイプ式組み立てテントにおける吊り下げ式看板の設置に比べて、テントのたれ幕部分に簡単に、かつ強固に固定設置することを可能にし、看板などの視認を容易にすることができるようすることを目的としたものである。
【背景技術】
【０００２】  従来、パイプ式組み立てテントにおいて、看板を設置する際には、図１に示すように看板１８に針金３をつけてテント１の横パイプから吊り下げる構造が一般的であったが、この場合、テント１のたれ幕６９部分より位置が低くなるため、看板１８などが目立ちにくく、かつ、利用者の出入りにおいても邪魔になり、針金３なども露出して見栄えが悪くなり、さらに、取り付けに手間が掛るという問題があった。【０００３】  また、図２に示すように看板２６に木の棒５をつけ、テント４の横パイプに針金などでとりつける構造のものもみられるが、利用者の出入りにおいて邪魔になり、かつ、針金や木の棒が前面に露出して見栄えが悪くなり、さらに取り付けに手間が掛るという問題があった。
【考案の開示】
【考案が解決しようとする課題】
【０００４】  パイプ式組み立てテントにおいて看板を設置する際、従来は、一般的にテントの横パイプから針金などによって看板などを吊り下げる構造が中心で、看板などの設置ではテントのたれ幕部分より位置が低くなるため、看板などが目立ちにくくなったり、利用者の出入りにおいて邪魔になるという問題があったため、こうした製品の欠点を改良することを目的としている。
【課題を解決するための手段】
【０００５】  本考案の課題を解決するための手段について、図面に従って詳細に説明すると、突出板１５，３６，３７，３８を端部にそれぞれ設けた円筒状パイプ把持部２，５６，５７，５８とワッシャー８，４９，５０，５１とナット７，４６，４７，４８付きの螺着用蝶螺子６，４３，４４，４５などの固着部材と，円筒状パイプ把持部２，５６，５７，５８の正面下半部または下端から垂下させるＵ字形固定板１６，３１，３２，３３，７０とで構成されている。【０００６】  突出板１５，３６，３７，３８を端部にそれぞれ設けた円筒状パイプ把持部２，５６，５７，５８の正面下半部または下端からテント１４，１７のたれ幕６４，６５，６６，６７，６８の長さを考慮して、Ｕ字形に看板２８，５３，５４，６２・掲示板・公報板等を挟持，または固定するＵ字形固定板１６，３１，３２，３３，７０を垂下させて配設している。【０００７】  また，突出板１５，３６，３７，３８には，突出板相互を締着させるワッシャー８，４９，５０，５１とナット７，４６，４７，４８付きの螺着用蝶螺子６，４３，４４，４５などの固着部材を配設し、円筒状パイプ把持部２，５６，５７，５８をフレキシブルに固定させるようにし、Ｕ字形固定板前面９，５５にマジックテープ１１，４２，６１などの固着材を設け，看板５３の裏面にもマジックテープ６０などの固着材を設けて固着するようにしている。【０００８】  あるいは、Ｕ字形固定板１６，３１，３２，３３，７０には螺着用螺子穴１２，４０，４１を穿孔し、看板２８，５３，５４，６２・掲示板・公報板等に設けた固着具１３，３４を配設して看板２８，５３，５４，６２・掲示板・公報板等を固定している。
【考案の効果】
【０００９】  本考案によれば、テントに看板・掲示板・公報板等を掲示するにあたって、従来のパイプ式組み立てテントにおける吊り下げ式看板設置に比べて、簡便で強固な固定が可能になつたばかりか、テントのたれ幕６４，６５，６６，６７，６８部分に簡単に設置することができ、看板２８，５３，５４，６２・掲示板・公報板等の視認を容易にすることができるようになった。【００１０】  また、看板２８，５３，５４，６２・掲示板・公報板等の掲示に際して，螺着用蝶螺子６，４３，４４，４５を用いてテントの横パイプ１９，２２，２４，５２，５９に固定具２０，２１，２３，２７，３５，３９，４２の円筒状パイプ把持部２，５６，５７，５８をフレキシブルに調整可能に固定させることができるので、テントの横パイプ１９，２２，２４，５２，５９において固定具２０，２１，２３，２７，３５，３９，４２の設定位置が自由に設定でき、看板２８，５３，５４，６２・掲示板・公報板等も正面に垂下させて固定できたり、近くに接近した人々が表示を簡単に識別できるように看板を斜めに下向きに固定させることができるようになった。
【考案を実施するための最良の形態】
【００１１】  本考案を実施するための最良の形態としては、突出板１５，３６，３７，３８を円筒状パイプ把持部２，５６，５７，５８の端部にそれぞれ設け、突出板１５，３６，３７，３８には，突出板相互を締着させるワッシャー８，４９，５０，５１と、ナット７，４６，４７，４８付きの螺着用蝶螺子６，４３，４４，４５などを配設し、円筒状パイプ把持部２，５６，５７，５８の正面下半部，または下端からテント１４，１７のたれ幕６４，６５，６６，６７，６８の長さを考慮して，たれ幕６４，６５，６６，６７，６８の範囲内で，Ｕ字形に看板２８，５３，５４，６２・掲示板・公報板等を挟持，または固定するＵ字形固定板３１，３２，３３，７０を垂下させて配設し、突出板を端部にそれぞれ設けた円筒状パイプ把持部２，５６，５７，５８の正面下半部または下端からテントのたれ幕の長さを考慮してＵ字形に看板・掲示板・公報板等を挟持または固定するＵ字形固定板を垂下させて配設し、突出板には突出板相互に締着させるワッシャー・ナット付きの蝶螺子などの固着具を配設し、円筒状パイプ把持部をフレキシブルに固定させるようにし、Ｕ字形固定板前面にマジックテープなどを固着するか、螺着用螺子穴をＵ字形固定板に穿孔して螺着用螺子で固着し、円筒状パイプ把持部をテントの横パイプ１９，２２，２４，５２，５９に固定具の円筒状パイプ把持部をフレキシブルに固定させるようにしたものである。
【産業上の利用可能性】
【００１２】  本考案は、上部に横パイプを有する農園や工場などの簡易建屋において、内部の農産物や生産品の所蔵を表示する看板・掲示板・公報板等として利用できるものである。
【図面の簡単な説明】
【００１３】
【図１】  従来知られる看板・掲示板・公報板等取り付け第１状態図。
【図２】  従来知られる看板・掲示板・公報板等取り付け第２状態図。
【図３】  本考案のテント用看板・掲示板・公報板等固定具の側面図。
【図４】  本考案のテント用看板・掲示板・公報板等固定具の正面図。
【図５】  本考案のテント用看板・掲示板・公報板等固定具の背面図。
【図６】  本考案固定具をテントパイプに取り付けた装着状態図。
【図７】  本考案固定具をテントパイプに取り付けた装着状態の拡大図。
【図８】  本考案固定具に看板を取り付けた装着状態図。
【図９】  本考案固定具にマジックテープを介して看板を取り付けた装着側面状態図。
【図１０】  本考案固定具に螺子を介して看板を取り付けた装着側面状態図。
【図１１】  本考案固定具に螺子を介して看板を下向きに取り付けた装着側面状態図。
【符号の説明】
【００１４】  １．  ４．１４．１７：テント
２．５６．５７．５８：円筒状パイプ把持部
３．                ：針金
５．                ：木の棒
６．４３．４４．４５：螺着用蝶螺子
７．４６．４７．４８：ナット
８．４９．５０．５１：ワッシャー
９．５５            ：Ｕ字形固定板前面
１０．２５．２９．３０：テント幕
１１．４２．６０．６１：マジックテープ
１２．４０．４１      ：螺子穴
１３．３４            ：固着具
１５．３６．３７．３８：突出板
１６．３１．３２．３３．７０            ：Ｕ字形固定板
１８．２６．２８．５３．５４．６２      ：看板
１９．２２．２４．５２．５９            ：横パイプ
２０．２１．２３．２７．３５．３９．４２：固定具
６４．６５．６６．６７．６８．６９      ：たれ幕
【図１】
0003104711.tif 000003
【図２】
0003104711.tif 000004
【図３】
0003104711.tif 000005
【図４】
0003104711.tif 000006
【図５】
0003104711.tif 000007
【図６】
0003104711.tif 000008
【図８】
0003104711.tif 000009
【図７】
0003104711.tif 000010
【図９】
0003104711.tif 000011
【図１０】
0003104711.tif 000012
【図１１】
0003104711.tif 000013